(57)【要約】【課題】  本考案は、収納ラックの構造で、特に、組み立て及び分解を容易とし、又、横方向にも延長することを可能とすることを目的とする。【解決手段】  縦向側架（１０）の縦ロッド（３０）は１つの主ロッド（３１）と１つの内副ロッド（３２）と１つの外副ロッド（３３）と横ロッド（４０）とを有する。層架（２０）は両側にそれぞれ１つのフレーム部（５０）を有し、フレーム部（５０）は両端近くの適当な位置にそれぞれ嵌合溝（５１）を有する。嵌合溝（５１）が内副ロッド（３２）と嵌合し、フレーム部（５０）の端面（５２）が主ロッド（３１）に密着する。縦向側架（１０）の外副ロッド（３３）は横方向に延長するもう１つの層架（２０）の一端と嵌合する。【選択図】  図２
0003105693.tif 000002
【実用新案登録請求の範囲】
【請求項１】
両サイドに設置される縦向側架（１０）と２つの縦向側架（１０）の間に上下に間隔をおいて設置される複数の層架（２０）とからなり、上記縦向側架（１０）は縦ロッド（３０）と横ロッド（４０）とからなり、上記横ロッド（４０）は上記層架（２０）が適当な高さで設置できるよう予め定めてある高さで縦ロッド（３０）上に固定設置される構造である収納ラックにおいて、
上記縦向側架（１０）の上記縦ロッド（３０）は１つの主ロッド（３１）と１つの内副ロッド（３２）と１つの外副ロッド（３３）とを含み、上記内副ロッド（３２）と上記外副ロッド（３３）は上記主ロッド（３１）と相対的に内側と外側、且つ平行に設置され、又、上記主ロッド（３１）と上記内副ロッド（３２）との間及び上記主ロッド（３１）と上記外副ロッド（３３）との間にそれぞれ上記横ロッド（４０）が固定設置されることにより、上記縦ロッド（３０）は各ロッド間に間隔部（３４−１，３４−２）を有し、
上記層架（２０）は両側にそれぞれ１つのフレーム部（５０）を有し、上記フレーム部（５０）は両端近くの適当な位置にそれぞれ嵌合溝（５１）を有し、上記嵌合溝（５１）は上記縦向側架（１０）の上記内副ロッド（３２）と嵌合でき、上記嵌合溝（５１）と上記内副ロッド（３２）とが嵌合した状態のとき、上記フレーム部（５０）の端面（５２）が上記主ロッド（３１）に密着する構造により、結合が更に強化され、
上記構造により、組み立てるとき、上記層架（２０）を固定用部品を使用せず、上記縦向側架（１０）上に固定され、且つ、上記縦向側架（１０）の上記外副ロッド（３３）は横方向に延長するもう１つの層架（２０）の一端と嵌合される構成としたことを特徴とする収納ラック。
【請求項２】
請求項１に記載の収納ラックにおいて、
上記層架（２０）の両サイドに設置されるフレーム部（５０）の断面形状は凹形である構成としたことを特徴とする収納ラック。
【請求項３】
請求項１に記載の収納ラックにおいて、
上記縦向側架（１０）の上記主ロッド（３１）、上記内副ロッド（３２）、上記外副ロッド（３３）は円柱状ロッドであり、
上記フレーム部（５０）の嵌合溝（５１）の断面形状は上記各ロッドと嵌合できる半円形状であり、上記嵌合溝（５１）が内副ロッド（３２）或いは外副ロッド（３３）と嵌合される構成としたことを特徴とする収納ラック。
【考案の詳細な説明】
【技術分野】
【０００１】
本考案は収納ラックの構造の改良に係り、特に、もう１つの層架と縦向側架との結合固定を嵌合溝と上記縦向側架のロッドとの嵌合により達成することにより、収納ラックを簡単に組み立てることができ、且つ、横方向に簡単に延長させることもできる収納ラックの構造に関するものである。
【背景技術】
【０００２】
収納ラックは、一般家屋或は商業施設にかかわらず、重要不可欠的存在であり、各業者により、絶え間ない改良が加えられ、すでに多種構造形態の収納ラックは存在し、簡単に分類すれば、一体式ラックと組み立て式ラックとに分類されるが、そのうち、一体式ラックは主体部分が固定されているので、分解することができない一方で、組み立て式ラックは各部分が分解できるようになっており（フレーム、層板等）、便利である為、消費者から好まれている。
【考案の開示】
【考案が解決しようとする課題】
【０００３】
従来の組み立て式ラックは下記の欠点があり、改良が待たれている。
【０００４】
１．従来の収納ラックは各部の相対する所を固定部品（ネジ、ボルト、ナット等）で固定する必要があり、組み立て或は分解時、工具を必要とし、更に、一ヶ所だけではなく、複数ヶ所を固定する必要がある為、時間と労力を費やさなければならない。
【０００５】
２．従来の収納ラックは延長させる時、並べて排列することにより、収納ラックを延長させるが支柱を共有する構造ではない為、各収納ラックの連結及び構造が安定せず、又、コストも下げることができない。
【０００６】
そこで、本考案は上記欠点を解決した収納ラックを提供することを目的とする。
【課題を解決するための手段】
【０００７】
そこで、本考案は、両サイドに設置される縦向側架（１０）と２つの縦向側架（１０）の間に上下に間隔をおいて設置される複数の層架（２０）とからなり、上記縦向側架（１０）は縦ロッド（３０）と横ロッド（４０）とからなり、上記横ロッド（４０）は上記層架（２０）が適当な高さで設置できるよう予め定めてある高さで縦ロッド（３０）上に固定設置される構造である収納ラックにおいて、
上記縦向側架（１０）の上記縦ロッド（３０）は１つの主ロッド（３１）と１つの内副ロッド（３２）と１つの外副ロッド（３３）とを含み、上記内副ロッド（３２）と上記外副ロッド（３３）は上記主ロッド（３１）と相対的に内側と外側、且つ平行に設置され、又、上記主ロッド（３１）と上記内副ロッド（３２）との間及び上記主ロッド（３１）と上記外副ロッド（３３）との間にそれぞれ上記横ロッド（４０）が固定設置されることにより、上記縦ロッド（３０）は各ロッド間に間隔部（３４−１，３４−２）を有し、
上記層架（２０）は両側にそれぞれ１つのフレーム部（５０）を有し、上記フレーム部（５０）は両端近くの適当な位置にそれぞれ嵌合溝（５１）を有し、上記嵌合溝（５１）は上記縦向側架（１０）の上記内副ロッド（３２）と嵌合でき、上記嵌合溝（５１）と上記内副ロッド（３２）とが嵌合した状態のとき、上記フレーム部（５０）の端面（５２）が上記主ロッド（３１）に密着する構造により、結合が更に強化され、
上記構造により、組み立てるとき、上記層架（２０）を固定用部品を使用せず、上記縦向側架（１０）上に固定され、且つ、上記縦向側架（１０）の上記外副ロッド（３３）は横方向に延長するもう１つの層架（２０）の一端と嵌合される構成としたことを特徴とする。
【考案の効果】
【０００８】
本考案によれば以下の効果を有する。
【０００９】
１．層架（２０）と縦向側架（１０）との結合固定を嵌合溝（５１）と縦向側架（１０）のロッドとの嵌合により達成する構造形態の収納ラックの構造を提供することができる。
【００１０】
２．各層架（２０）と２つの縦向側架（１０）とを固定用部品を使用せず、結合固定させることができる構造により、組み立て或は分解を効率的に達成することができる。
【００１１】
３．縦向側架（１０）の外副ロッド（３３）と延長用のもう１つの層架（２０）とが嵌合できる構造により、最初に設置した収納ラックと延長設置する収納ラックの２つの収納ラックの中間にある縦向側架（１０）を共有することができ、収納ラックの延長に伴い、コストを大幅に削減することができる。
【考案を実施するための最良の形態】
【００１２】
次に本考案の実施の形態について説明する。
【実施例１】
【００１３】
図１は本考案の実施例１になる収納ラック１を示し、図２は最上位置の層架と縦向側架との関係を示し、図３は層架と縦向側架とが嵌合し合う部分の構成を拡大して示す。Ｘ１−Ｘ２が幅方向、Ｙ１−Ｙ２が奥行き方向、Ｚ１−Ｚ２が高さ方向である。
【００１４】
収納ラック１は、主にＸ１−Ｘ２方向上両サイドに設置される２つの縦向側架１０と、２つの縦向側架１０の間に上下に間隔をおいて設置される３つの層架２０とからなる。
【００１５】
各縦向側架１０は、縦ロッド３０と横ロッド４０とからなる。横ロッド４０は、互いに平行であるＸ１側の第１の横ロッド４１とＸ２側の第２の横ロッド４２とを有し、層架２０が適当な高さに設置できるように、縦ロッド３０上予め定められた高さに例えば溶接で固定設置してある。
【００１６】
縦向側架１０の縦ロッド３０は、１つの主ロッド３１と１つの内副ロッド３２と１つの外副ロッド３３とを有する。内副ロッド３２と外副ロッド３３は、主ロッド３１に対して相対的に内側及び外側に、且つ平行に設置してある。
【００１７】
主ロッド３１と内副ロッド３２との間に第２の横ロッド４２が固定設置してあり、主ロッド３１と外副ロッド３３との間に第１の横ロッド４１が固定設置してある。縦ロッド３０は、主ロッド３１と内副ロッド３２との間に間隔部３４−２を有し、及び主ロッド３１と外副ロッド３３との間に間隔部３４−１を有する。
【００１８】
層架２０は両側にそれぞれ１つのフレーム部５０を有する。フレーム部５０は両端近くの適当な位置にそれぞれ嵌合溝５１を有する。嵌合溝５１は縦向側架１０の内副ロッド３２と嵌合できる形状であり、嵌合溝５１と内副ロッド３２とが嵌合した状態で、フレーム部５０の端面５２が上記主ロッド３２に密着する構造により、結合が更に強化される。フレーム部５０のＸ２側の端面近傍部５３がＸ２側の縦向側架１０の間隔部３４−１に嵌合してＸ１側の第１の横ロッド４１上に載って支持され、フレーム部５０のＸ１側の端面近傍部５３がＸ１側の縦向側架１０の間隔３４−２に嵌合してＸ２側の第２の横ロッド４２上に載って支持される。
【００１９】
上記構造により、組み立てるとき、層架２０をネジ等の固定用部品を使用せずに、上記縦向側架１０上に固定させることが出来る。
【００２０】
縦向側架１０の外副ロッド３３は横方向に延長するもう１つの層架２０の一端と嵌合させることができ、外側の横ロッド４１は横方向に延長するもう１つの層架２０のフレーム部５０の端の部分を支持することができる。
【００２１】
図５及び図６に示す如く、本考案の収納ラックを横方向（Ｘ１方向）に延長させる時、延長用に層架２０Ｂと縦向側架１０Ｂとをそれぞれ１つずつ用意し、最初に設置した収納ラックに相対する各々の所を嵌合させるだけで収納ラックを簡単に延長させることができる。
【００２２】
図７は収納ラックを更に延長したものである。間を空かして配置してある２つ収納ラックの相対向する縦向側架の間に、層架２０Ｂがセットされて構成される。Ｘ１−Ｘ２方向上、層架２０、層架２０Ｂ、層架２０Ｂが並んでいる。
【００２３】
反対に分解する時は、層架２０と縦向側架１０とを分離させるだけでよく、分離方法は、図４に示す如く、層架２０のＸ２側の一端付近を下からＺ１方向に押し持ち上げることにより、簡単に層架２０を外すことができ、工具を一切使わずに収納ラックを簡単に分解することができる。
【００２４】
層架２０の両サイドに設置されるフレーム部５０の断面形状は凹形である。
【００２５】
また、縦向側架１０の主ロッド３１、内副ロッド３２、外副ロッド３３は円柱状ロッドでもよく、フレーム部５０の嵌合溝５１の断面形状は各ロッドと嵌合できる半円形状であることにより、嵌合溝５１と内副ロッド３２或いは外副ロッド３３とを嵌合させることができる。
【００２６】
本考案は下記のメリット及び効果がある。
【００２７】
１．層架２０と縦向側架１０との結合固定を嵌合溝５１と縦向側架１０のロッドとの嵌合により達成する構造形態の収納ラックの構造を提供することができる。
【００２８】
２．各層架２０と２つの縦向側架１０とを固定用部品を使用せず、結合固定させることができる構造により、組み立て或いは分解を効率的に達成することができる。
【００２９】
３．縦向側架１０の外副ロッド３３と延長用のもう１つの層架２０とが嵌合できる構造により、及び、縦向側架１０の外側の第１の横ロッド４１が延長用のもう１つの層架２０の端を支持する構成によって、最初に設置した収納ラックと延長設置する収納ラックの２つの収納ラックの中間にある縦向側架１０を共有することができ、収納ラックの延長に伴い、コストを大幅に削減することができる。
【図面の簡単な説明】
【００３０】
【図１】本考案の実施例１になる収納ラックを示す斜視図である。
【図２】図１の収納ラックの単一収納ラックを分解した状態で示す斜視図である。
【図３】図２中の収納ラックの層架と縦向側架との嵌合を拡大して示す図である。
【図４】図１の収納ラックの層架の分離方法を示す側面図である。
【図５】図１の収納ラックを横方向に延長させた一実施例の収納ラックを示す正面図である。
【図６】図５中、二つの収納ラックを結合している部分を拡大して示す斜視図である。
【図７】図１の収納ラックを横方向に延長させた別の実施例の収納ラックを示す斜視図である。
【符号の説明】
【００３１】
１０、１０Ｂ  立架組
２０，２０Ｂ  層架
３０  縦ロッド
３１  主ロッド
３２  内副ロッド
３３  外副ロッド
３４−１，３４−２  間隔部
４０  横ロッド
４１  第１の横ロッド
４２  第２の横ロッド
５０  フレーム部
５１  嵌合溝
５２  端面
５３  端面近傍部
【図１】
0003105693.tif 000003
【図２】
0003105693.tif 000004
【図３】
0003105693.tif 000005
【図４】
0003105693.tif 000006
【図５】
0003105693.tif 000007
【図６】
0003105693.tif 000008
【図７】
0003105693.tif 000009